(57)【特許請求の範囲】
【請求項１】
入射する色光ごとに画像信号に応じて変調する複数の空間光変調装置と、
前記複数の空間光変調装置ごとの光射出側に設けられ、所定の直線偏光を透過させる複数の射出側偏光板と、
前記複数の空間光変調装置および前記複数の射出側偏光板を順次冷却する冷却風が流動する冷却用ダクトと、を有し、
前記冷却用ダクトは、
前記複数の空間光変調装置の光入射側を冷却風が流通する第１流路と、
前記複数の空間光変調装置の前記光射出側および前記複数の射出側偏光板の間を冷却風が流通する第２流路と、
前記第１流路を進行した冷却風と前記第２流路を進行した冷却風とが合流する合流部と、
前記第１流路と前記第２流路とを分ける隔壁部と、を備え、
前記複数の空間光変調装置は、入射する光量が最大である第１色光に対応する第１空間光変調装置と、前記第１空間光変調装置の下流側に配置され、第２色光に対応する第２空間光変調装置と、を含み、
前記合流部は、前記第１空間光変調装置の下流側に位置し、
前記隔壁部は、前記第１空間光変調装置の上流側に位置することを特徴とするプロジェクター。
【請求項２】
請求項１に記載のプロジェクターであって、
前記複数の空間光変調装置は、前記第１空間光変調装置の上流側に配置され、第３色光に対応する第３空間光変調装置を含み、
前記合流部は、前記第１空間光変調装置および前記第２空間光変調装置の間に位置し、
前記隔壁部は、前記第１空間光変調装置および前記第３空間光変調装置の間に位置することを特徴とするプロジェクター。
【請求項３】
請求項２に記載のプロジェクターであって、
前記合流部が配置される位置に、前記第１空間光変調装置側から前記第２空間光変調装置側へ前記冷却風が進行するに従って前記合流部の幅を変化させる構造体を有することを特徴とするプロジェクター。
【請求項４】
請求項３に記載のプロジェクターであって、
前記複数の空間光変調装置からの光を合成する色合成光学系を有し、
前記構造体は、前記合流部で合流した冷却風を、前記第２空間光変調装置の前記入射面に対し前記色合成光学系側へ向けることを特徴とするプロジェクター。
【請求項５】
請求項３または請求項４に記載のプロジェクターであって、
前記構造体は、前記合流部において隆起する形状を備えることを特徴とするプロジェクター。
【請求項６】
請求項１から請求項５のいずれか一項に記載のプロジェクターであって、
前記第１色光は、緑色光であることを特徴とするプロジェクター。
【請求項７】
請求項１から請求項６のいずれか一項に記載のプロジェクターであって、
前記冷却用ダクトは、
前記複数の射出側偏光板の各間に設けられ、前記複数の射出側偏光板の光入射側と光射出側とに仕切る仕切り部と、
前記複数の射出側偏光板の前記光射出側を冷却風が流通する第３流路と、を有することを特徴とするプロジェクター。
【発明の詳細な説明】
【技術分野】
【０００１】
本発明は、プロジェクター、特に、液晶表示パネルを備えるプロジェクターに関する。
【背景技術】
【０００２】
従来、プロジェクターは、投写性能の向上や小型化を目的とする開発が進められている。プロジェクターとしては、例えば、赤色（Ｒ）光用、緑色（Ｇ）光用、青色（Ｂ）光用の各透過型液晶表示パネルを備えるプロジェクターが広く普及している。液晶表示パネルは、照明光の吸収によって発熱する。液晶表示パネルの放熱には、例えば、冷却風を流動させるファンが用いられている。
【０００３】
プロジェクターの冷却構造としては、液晶表示パネルが配置される光軸を含む面に対して、略垂直な方向へ冷却風を流動させる構成が知られている。この場合、各液晶表示パネルへ均等に冷却風を供給し易くなる一方、各液晶表示パネルを配置する部分の上下にファン、及び冷却風を流動させるためのダクトが配置されることでプロジェクターの薄型化が難しくなる点が課題となる。かかる課題に対しては、光軸を含む面に略平行な方向へ冷却風を流動させる流路を設け、冷却風によって各液晶表示パネル及び各偏光板を順次冷却する技術が提案されている。例えば、特許文献１には、各色光を合成するクロスダイクロイックプリズムの周囲に各液晶表示パネルを配置し、各液晶表示パネルの入射面側及び射出面側にそれぞれ流路を設ける構成が提案されている。
【先行技術文献】
【特許文献】
【０００４】
【特許文献１】特開２００１−２８１６１３号公報
【発明の概要】
【発明が解決しようとする課題】
【０００５】
液晶表示パネルの射出面側に設けられる射出側偏光板は、液晶表示パネルからの光を適宜遮蔽するため、液晶表示パネルや、液晶表示パネルの入射面側に設けられる入射側偏光板に比べて発熱量が大きくなる。射出側偏光板、特にＧ光用の射出側偏光板を通過した冷却風は、入射側偏光板を通過した冷却風に比べて温度が上昇することとなる。特許文献１に提案されている冷却構造は、入射側偏光板と液晶表示パネルとの隙間を利用する流路と、液晶表示パネルと射出側偏光板との隙間を利用する流路とに分けられている。このため、Ｇ光用の射出側偏光板の次に冷却風を通過させる射出側偏光板を十分に冷却することが困難になるという問題を生じる。本発明は、上述の問題に鑑みてなされたものであり、液晶表示パネルの射出面側に設けられる射出側偏光板を冷却風により高い効率で冷却可能とするプロジェクターを提供することを目的とする。
【課題を解決するための手段】
【０００６】
上述した課題を解決し、目的を達成するために、本発明に係るプロジェクターは、入射面から入射した光を画像信号に応じて変調し、射出面から射出させる空間光変調装置と、色光ごとに設けられた前記空間光変調装置を順次冷却するための冷却風が流動する冷却用ダクトと、を有し、前記冷却用ダクトは、前記空間光変調装置の前記入射面を含めて構成された第１流路と、前記空間光変調装置の前記射出面を含めて構成された第２流路と、前記第１流路を進行した前記冷却風と前記第２流路を進行した前記冷却風とが合流する合流部と、を備え、前記合流部は、各色光のうち、前記入射面へ入射する際の光量が最大である所定の色光について設けられた前記空間光変調装置に対して、前記冷却風の下流側に位置することを特徴とする。
【０００７】
第１流路を通過した冷却風と、第２流路を通過した冷却風とは、合流部での混合により温度の均一化がなされる。射出側偏光板を通過した冷却風と入射側偏光板を通過した冷却風とで温度を均一化することで、合流部の次に冷却風を進行させる射出側偏光板の十分な冷却が可能となる。これにより、冷却風により射出側偏光板を高い効率で冷却することができる。
【０００８】
また、本発明の好ましい態様としては、前記所定の色光である第１色光について設けられた前記空間光変調装置である第１空間光変調装置と、第２色光について設けられた前記空間光変調装置である第２空間光変調装置と、を有し、前記第２空間光変調装置は、前記冷却用ダクトにおいて、前記第１空間光変調装置に対して前記冷却風の下流側に位置し、前記合流部は、前記第１空間光変調装置及び前記第２空間光変調装置の間に位置することが望ましい。これにより、第２色光用の射出側偏光板について十分な冷却が可能となる。
【０００９】
また、本発明の好ましい態様としては、前記合流部に設けられ、前記第１空間光変調装置側から前記第２空間光変調装置側へ前記冷却風が進行するに従って前記合流部の幅が変化するように形成された構造体を有することが望ましい。これにより、第１流路を通過した冷却風と、第２流路を通過した冷却風とを、合流部において十分混合させ、冷却風の温度をより均一化させることができる。
【００１０】
また、本発明の好ましい態様としては、前記色光ごとの前記空間光変調装置から射出された光同士を合成させる色合成光学系を有し、前記構造体は、前記合流部で合流した前記冷却風を前記第２空間光変調装置の前記入射面より前記色合成光学系側へ向けさせるように、前記合流部において隆起させた形状を備えることが望ましい。これにより、第２色光用の射出側偏光板へ積極的に冷却風を進行させ、第２色光用の射出側偏光板をさらに十分冷却することが可能となる。
【００１１】
また、本発明の好ましい態様としては、前記冷却用ダクトを構成するダクト構成部材を有し、前記構造体は、前記ダクト構成部材に取り付けられることが望ましい。これにより、構造体が取り付けられたダクト構成部材を組み立てることにより、構造体を備える冷却用ダクトを作り易くすることができる。
【００１２】
また、本発明の好ましい態様としては、前記所定の色光は、緑色光であることが望ましい。これにより、緑色光用の射出側偏光板の次に冷却風を通過させる射出側偏光板を十分に冷却することが可能となる。
【００１３】
また、本発明の好ましい態様としては、前記第１流路と前記第２流路とを分ける隔壁部を有し、前記隔壁部は、前記所定の色光について設けられた前記空間光変調装置に対して、前記冷却風の上流側に位置することが望ましい。隔壁部を設けることにより、冷却用ダクトにおける圧力損失を低減させ、少ない風量で各構成の効率良い冷却が可能となる。これにより、ファンの小型化、静音化が可能となる。
【００１４】
また、本発明の好ましい態様としては、前記空間光変調装置の前記射出面からの光が入射し、色光ごとに設けられた射出側偏光板と、前記射出側偏光板同士の間に設けられ、前記冷却用ダクトを前記射出側偏光板の入射面側と射出面側とを仕切る仕切り部と、を有することが望ましい。仕切り部を設けることにより、ファンから最初に冷却風が到達する射出側偏光板の射出面側を通過した冷却風を、冷却風が二番目以降に到達する射出側偏光板の射出面側へ効率良く進行させることが可能となる。これにより、ファンから二番目以降に冷却風が到達する射出側偏光板を十分に冷却することができる。
【図面の簡単な説明】
【００１５】
【図１】実施例１に係るプロジェクターの概略構成図である。
【図２】冷却構造と投写レンズとを組み合わせた構成の斜視図である。
【図３】図２に示す冷却構造の上面概略図である。
【図４】実施例２に係るプロジェクターのうち冷却構造等の斜視図である。
【図５】図４に示す冷却構造の上面概略図である。
【発明を実施するための形態】
【００１６】
以下に図面を参照して、本発明の実施例を詳細に説明する。
【実施例１】
【００１７】
図１は、本発明の実施例１に係るプロジェクター１０の概略構成図である。プロジェクター１０は、スクリーン３２へ投写光を投写させ、スクリーン３２で反射する光を観察することで画像を鑑賞するフロント投写型のプロジェクターである。プロジェクター１０は、ファン３１から供給された冷却風が流動する冷却用ダクトを有する。冷却用ダクトの詳細については後述する。
【００１８】
光源部１１は、Ｒ光、Ｇ光、Ｂ光を含む光を射出する。光源部１１は、例えば、超高圧水銀ランプである。第１インテグレーターレンズ１２及び第２インテグレーターレンズ１３は、アレイ状に配列された複数のレンズ素子を有する。第１インテグレーターレンズ１２は、光源部１１からの光束を複数に分割する。第１インテグレーターレンズ１２の各レンズ素子は、光源部１１からの光束を第２インテグレーターレンズ１３のレンズ素子近傍にて集光させる。第２インテグレーターレンズ１３のレンズ素子は、第１インテグレーターレンズ１２のレンズ素子の像を液晶表示パネルに形成する。
【００１９】
偏光変換素子１４は、２つのインテグレーターレンズ１２、１３を経た光を所定の直線偏光に変換させる。重畳レンズ１５は、第１インテグレーターレンズ１２の各レンズ素子の像を液晶表示パネルの照射面上で重畳させる。第１インテグレーターレンズ１２、第２インテグレーターレンズ１３及び重畳レンズ１５は、光源部１１からの光の強度分布を液晶表示パネルの照射領域上にて均一化させる。
【００２０】
第１ダイクロイックミラー１６は、重畳レンズ１５から入射したＲ光を反射させ、Ｇ光及びＢ光を透過させる。重畳レンズ１５からのＲ光は、第１ダイクロイックミラー１６、反射ミラー１８でそれぞれ光路が折り曲げられ、フィールドレンズ２１Ｒへ入射する。フィールドレンズ２１Ｒは、反射ミラー１８からのＲ光を平行化させ、入射側偏光板２２Ｒへ入射させる。入射側偏光板２２Ｒは、所定の直線偏光を透過させる。液晶表示パネル２３Ｒは、入射面から入射したＲ光（第２色光）を画像信号に応じて変調し、射出面から射出させる空間光変調装置（第２空間光変調装置）である。射出側偏光板２４Ｒは、液晶表示パネル２３Ｒからの光のうち所定の直線偏光を透過させる。入射側偏光板２２Ｒ及び射出側偏光板２４Ｒは、互いに偏光軸が垂直となるように配置される。
【００２１】
第２ダイクロイックミラー１７は、第１ダイクロイックミラー１６からのＧ光を反射させ、Ｂ光を透過させる。第１ダイクロイックミラー１６からのＧ光は、第２ダイクロイックミラー１７で光路が折り曲げられ、フィールドレンズ２１Ｇへ入射する。フィールドレンズ２１Ｇは、第２ダイクロイックミラー１７からのＧ光を平行化させ、入射側偏光板２２Ｇへ入射させる。入射側偏光板２２Ｇは、所定の直線偏光を透過させる。液晶表示パネル２３Ｇは、入射面から入射したＧ光（第１色光）を画像信号に応じて変調し、射出面から射出させる空間光変調装置（第１空間光変調装置）である。射出側偏光板２４Ｇは、液晶表示パネル２３Ｇからの光のうち所定の直線偏光を透過させる。
【００２２】
第２ダイクロイックミラー１７を透過したＢ光は、リレーレンズ２６を透過した後、反射ミラー１９での反射により光路が折り曲げられる。反射ミラー１９からのＢ光は、さらにリレーレンズ２７を透過した後、反射ミラー２０での反射により光路が折り曲げられ、フィールドレンズ２１Ｂへ入射する。Ｒ光の光路及びＧ光の光路よりもＢ光の光路が長いことから、液晶表示パネル２３Ｂの照射領域における照明倍率を他の色光と等しくするために、Ｂ光の光路には、リレーレンズ２６、２７を用いるリレー光学系が採用されている。
【００２３】
フィールドレンズ２１Ｂは、反射ミラー２０からのＢ光を平行化させ、入射側偏光板２２Ｂへ入射させる。入射側偏光板２２Ｂは、所定の直線偏光を透過させる。液晶表示パネル２３Ｂは、入射面から入射したＢ光（第３色光）を画像信号に応じて変調し、射出面から射出させる空間光変調装置（第３空間光変調装置）である。射出側偏光板２４Ｂは、液晶表示パネル２３Ｂからの光のうち所定の直線偏光を透過させる。入射側偏光板２２Ｒ、２２Ｇ、２２Ｂ、液晶表示パネル２３Ｒ、２３Ｇ、２３Ｂ、及び射出側偏光板２４Ｒ、２４Ｇ、２４Ｂは、いずれも色光ごとに設けられている。
【００２４】
クロスダイクロイックプリズム２５は、各射出側偏光板２４Ｒ、２４Ｇ、２４Ｂから射出されたＲ光、Ｇ光及びＢ光を合成させ、投写レンズ３０の方向へ射出させる色合成光学系である。投写レンズ３０は、クロスダイクロイックプリズム２５で合成された光をスクリーン３２の方向へ投写させる。ファン３１は、冷却用ダクトを流動させる冷却風を供給する。ファン３１は、例えばシロッコファンや、冷却風を供給可能ないずれのものを用いても良い。
【００２５】
図２は、プロジェクター１０のうち、冷却構造と投写レンズ３０とを組み合わせた構成の斜視図である。冷却構造は、入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂ及びクロスダイクロイックプリズム２５と、冷却用ダクトとが一体化されて構成されている。ベース４１は、入射側偏光板２２Ｒ、２２Ｇ、２２Ｂ、液晶表示パネル２３Ｒ、２３Ｇ、２３Ｂ、射出側偏光板２４Ｒ、２４Ｇ、２４Ｂ及びクロスダイクロイックプリズム２５が載置されている。ベース４１は、冷却用ダクトの底面を覆う。側壁部４０は、冷却用ダクトの外周を覆う。冷却構造のうちベース４１とは反対側の上面は、クロスダイクロイックプリズム２５以外の部分が板状部材（図示省略）により覆われている。かかる板状部材と、側壁部４０と、ベース４１とは、冷却用ダクトを構成するダクト構成部材である。
【００２６】
冷却用ダクトは、各液晶表示パネル２３Ｒ、２３Ｇ、２３Ｂ、各入射側偏光板２２Ｒ、２２Ｇ、２２Ｂ、各射出側偏光板２４Ｒ、２４Ｇ、２４Ｂを順次冷却するための冷却風が流動する流路である。冷却用ダクトは、側壁部４０と、クロスダイクロイックプリズム２５との間に形成されている。冷却用ダクトは、クロスダイクロイックプリズム２５の周囲のうち、投写レンズ３０側以外の三方に沿って形成されている。冷却用ダクトは、Ｂ光用の各構成及びＧ光用の各構成の間と、Ｇ光用の各構成及びＲ光用の各構成の間と、の二箇所で折り曲げられている。冷却用ダクトは、各液晶表示パネル２３Ｒ、２３Ｇ、２３Ｂの入射面側に対して、各液晶表示パネル２３Ｒ、２３Ｇ、２３Ｂの射出面側を内側として湾曲させて形成されている。
【００２７】
側壁部４０のうち液晶表示パネル２３Ｒ、２３Ｇ、２３Ｂに対向する位置には、光を通過させる開口４４が形成されている。入射側偏光板２２Ｒ、２２Ｇ、２２Ｂは、側壁部４０の外側から開口４４を覆うように配置されている。Ｂ光用の液晶表示パネル２３Ｂと、Ｇ光用の液晶表示パネル２３Ｇとの間には、隔壁部４２が設けられている。Ｂ光用の射出側偏光板２４ＢとＧ光用の射出側偏光板２４Ｇとの間、Ｇ光用の射出側偏光板２４ＧとＲ光用の射出側偏光板２４Ｒとの間には、それぞれ仕切り部４３が設けられている。隔壁部４２、仕切り部４３は、いずれも、冷却用ダクトの折り曲げ部分に設けられている。
【００２８】
図３は、図２に示す冷却構造の上面概略図である。冷却用ダクトは、第１流路Ｄ１、第２流路Ｄ２、第３流路Ｄ３及び合流部ＤＡを備える。第１流路Ｄ１は、Ｂ光用の液晶表示パネル２３Ｂの入射面Ｓ１、隔壁部４２の外周面、Ｇ光用の液晶表示パネル２３Ｇの入射面Ｓ１、側壁部４０の内周面、Ｂ光用の入射側偏光板２２Ｂの射出面、及びＧ光用の入射側偏光板２２Ｇの射出面を含めて構成されている。
【００２９】
第２流路Ｄ２は、Ｂ光用の液晶表示パネル２３Ｂの射出面Ｓ２、隔壁部４２の内周面、Ｇ光用の液晶表示パネル２３Ｇの射出面Ｓ２、Ｂ光用の射出側偏光板２４Ｂの入射面、仕切り部４３の外周面、及びＧ光用の射出側偏光板２４Ｇの入射面を含めて構成されている。合流部ＤＡは、第１流路Ｄ１を進行した冷却風と第２流路Ｄ２を進行した冷却風とが合流する部分である。
【００３０】
合流部ＤＡは、Ｇ光用の液晶表示パネル２３Ｇ及びＲ光用の液晶表示パネル２３Ｒの間に位置する。Ｒ光用の液晶表示パネル２３Ｒは、冷却用ダクトにおいて、Ｇ光用の液晶表示パネル２３Ｇに対して冷却風の下流側に位置する。合流部ＤＡは、冷却用ダクトのうち、Ｇ光用の液晶表示パネル２３Ｇに対して、冷却風の下流側に位置する。本実施例において、Ｇ光は、各色光のうち、入射面Ｓ１に入射する際の光量が最大である所定の色光とする。
【００３１】
第３流路Ｄ３は、各色光用の射出側偏光板２４Ｂ、２４Ｇ、２４Ｒの射出面、仕切り部４３の内周面、及びクロスダイクロイックプリズム２５の入射面を含めて構成されている。隔壁部４２は、冷却用ダクトのうち、Ｂ光用の液晶表示パネル２３ＢとＧ光用の液晶表示パネル２３Ｇとの間に設けられている。隔壁部４２は、Ｇ光用の液晶表示パネル２３Ｇに対して冷却風の上流側に位置し、Ｂ光用の液晶表示パネル２３ＢとＧ光用の液晶表示パネル２３Ｇとの間において第１流路Ｄ１と第２流路Ｄ２とを分けている。
【００３２】
ファン３１（図１参照）は、冷却用ダクトの流入口へ冷却風を供給する。ファン３１から第１流路Ｄ１へ供給された冷却風は、Ｂ光用の入射側偏光板２２Ｂの射出面と液晶表示パネル２３Ｂの入射面Ｓ１との間を通過し、隔壁部４２の外周面及び側壁部４０の間で進行方向が折り曲げられる。隔壁部４２及び側壁部４０の間を通過した冷却風は、Ｇ光用の入射側偏光板２２Ｇの射出面と液晶表示パネル２３Ｇの入射面Ｓ１との間を通過し、合流部ＤＡへ到達する。
【００３３】
ファン３１から第２流路Ｄ２へ供給された冷却風は、Ｂ光用の液晶表示パネル２３Ｂの射出面Ｓ２と射出側偏光板２４Ｂの入射面との間を通過し、隔壁部４２の内周面及び仕切り部４３の外周面の間で進行方向が折り曲げられる。隔壁部４２及び仕切り部４３の間を通過した冷却風は、Ｇ光用の液晶表示パネル２３Ｇの射出面Ｓ２と射出側偏光板２４Ｇの射出面との間を通過し、合流部ＤＡへ到達する。
【００３４】
第１流路Ｄ１を進行した冷却風と、第２流路Ｄ２を進行した冷却風とは、合流部ＤＡで合流する。合流部ＤＡで合流した冷却風の一部は、Ｒ光用の入射側偏光板２２Ｒの射出面と液晶表示パネル２３Ｒの入射面Ｓ１との間を通過する。合流部ＤＡで合流した冷却風の一部は、Ｒ光用の液晶表示パネル２３Ｒの射出面Ｓ２と射出側偏光板２４Ｒの入射面との間を通過する。
【００３５】
ファン３１から第３流路Ｄ３へ供給された冷却風は、クロスダイクロイックプリズム２５の入射面に沿って、Ｂ光用の射出側偏光板２４Ｂの射出面、仕切り部４３の内周面、Ｇ光用の射出側偏光板２４Ｇの射出面、仕切り部４３の内周面、及びＲ光用の射出側偏光板２４Ｒの射出面の前を順次進行する。
【００３６】
第１流路Ｄ１においてＢ光用の入射側偏光板２２Ｂ及び液晶表示パネル２３Ｂ、Ｇ光用の入射側偏光板２２Ｇ及び液晶表示パネル２３Ｇから熱を奪った冷却風と、第２流路Ｄ２においてＢ光用の液晶表示パネル２３Ｂ及び射出側偏光板２４Ｂ、Ｇ光用の液晶表示パネル２３Ｇ及び射出側偏光板２４Ｇから熱を奪った冷却風とは、合流部ＤＡで混合される。合流部ＤＡで混合された冷却風は、Ｒ光用の入射側偏光板２２Ｒ及び液晶表示パネル２３Ｒの入射面Ｓ１の間の流路と、液晶表示パネル２３Ｒの射出面Ｓ２及び射出側偏光板２４Ｒの間の流路とに分配される。
【００３７】
射出側偏光板２４Ｒ、２４Ｇ、２４Ｂは、液晶表示パネル２３Ｒ、２３Ｇ、２３Ｂからの光を適宜遮蔽するため、液晶表示パネル２３Ｒ、２３Ｇ、２３Ｂや、入射側偏光板２２Ｒ、２２Ｇ、２２Ｂに比べて発熱量が大きくなる。また、Ｇ光は他の色光に比べて視感度が高いことから、高出力であることが求められることとなる。特に、Ｇ光用の射出側偏光板２４Ｇを通過した冷却風は、入射側偏光板２２Ｇを通過した冷却風に比べて温度が上昇することとなる。これらのことから、第２流路Ｄ２を通過した冷却風は、第１流路Ｄ１を通過した冷却風に比べて温度が上昇することとなる。
【００３８】
本実施例に係るプロジェクター１０は、第１流路Ｄ１を通過した冷却風と、第２流路Ｄ２を通過した冷却風とを合流部ＤＡで混合させることにより、冷却風の温度を均一化させる。冷却風の温度を均一化させることで、第２流路Ｄ２を通過した冷却風のみをＲ光用の射出側偏光板２４Ｒへ進行させる場合に比べて、Ｒ光用の射出側偏光板２４Ｒへ進行させる冷却風を低温とする。これにより、Ｇ光用の射出側偏光板２４Ｇに対して冷却風の下流側に配置されているＲ光用の射出側偏光板２４Ｒを、十分に冷却することが可能となる。
【００３９】
液晶表示パネル２３Ｒ、２３Ｇ、２３Ｂ、入射側偏光板２２Ｒ、２２Ｇ、２２Ｂ、射出側偏光板２４Ｒ、２４Ｇ、２４Ｂは、冷却風による効率的な冷却により劣化が低減される。また、各構成の効率的な冷却を可能とすることで、流動させる冷却風の風量を少なくでき、ファン３１の駆動音を少なくすることが可能となる。これにより、プロジェクター１０は、静音性に優れ、かつ高い信頼性を得ることができる。
【００４０】
本実施例では、仕切り部４３を含めて第３流路Ｄ３を構成することにより、Ｂ光用の射出側偏光板２４Ｂの射出面側を通過した冷却風を、Ｇ光用の射出側偏光板２４Ｇ及びＲ光用の射出側偏光板２４Ｒの射出面側へ効率良く進行させることが可能となる。これにより、第３流路Ｄ３においてファン３１から二番目以降に冷却風が到達するＧ光用の射出側偏光板２４Ｇ及びＲ光用の射出側偏光板２４Ｒを十分に冷却することが可能となる。なお、仕切り部４３は、省略することとしても良い。
【００４１】
隔壁部４２及び仕切り部４３は、Ｂ光用の各構成を通過した後の冷却風をＧ光用の各構成へ誘導させ、流動の乱れによる圧力損失を低減させる。冷却用ダクトにおける圧力損失を低減させることで、少ない風量で各構成の効率良い冷却が可能となる。これにより、ファン３１の小型化、静音化が可能となる。
【００４２】
光源部１１（図１参照）からの光に紫外線が含まれている場合、紫外線がＢ光とともに進行する場合がある。各色光のうちＢ光用の各構成にファン３１からの冷却風を最初に到達させることで、紫外線の吸収による各構成の劣化を効果的に低減させることができる。なお、色光ごとの各構成の配置は、本実施例で説明するもの限られず、適宜変更しても良い。色光ごとの各構成に対してファン３１からの冷却風を進行させる順序は、プロジェクター１０の構成に応じて適宜変更しても良い。
【実施例２】
【００４３】
図４は、本発明の実施例２に係るプロジェクターのうち、冷却構造と投写レンズ３０とを組み合わせた構成の斜視図である。図５は、図４に示す冷却構造の上面概略図である。本実施例は、冷却用ダクトの合流部ＤＡに設けられた構造体５０を有することを特徴とする。実施例１と同一の部分には同一の符号を付し、重複する説明を省略する。
【００４４】
構造体５０は、ダクト構成部材である側壁部４０の内周面のうち、合流部ＤＡの位置に取り付けられている。構造体５０のうち側壁部４０側とは反対側の面は、図５に示す面内において流線形を持つ曲面をなしている。構造体５０は、合流部ＤＡで合流した冷却風をＲ光用の液晶表示パネル２３Ｒの入射面Ｓ１よりカーブ内側（クロスダイクロイックプリズム２５側）へ向けさせるように、合流部ＤＡにおいて隆起させた形状を備える。
【００４５】
図５に示す平面内における合流部ＤＡの幅は、Ｇ光用の液晶表示パネル２３Ｇ側からＲ光用の液晶表示パネル２３Ｒ側へ冷却風が進行するに従って、一旦狭められてから広げられるように変化する。構造体５０を備える冷却用ダクトは、構造体５０が取り付けられた側壁部４０と他のダクト構成部材との組み立てにより容易に形成することができる。
【００４６】
第１流路Ｄ１を通過した冷却風と、第２流路Ｄ２を通過した冷却風とは、構造体５０によって流路が一旦絞られることで、合流部ＤＡにおいて十分混合される。これにより、合流部ＤＡにおいて冷却風の温度をより均一化させることができる。また、合流部ＤＡにおいて構造体５０に沿って進行した冷却風は、カーブ内側へ向けて方向が変換されることで、Ｒ光用の液晶表示パネル２３Ｒの入射面Ｓ１側に比べて射出面Ｓ２側へ多く進行することとなる。構造体５０によって、Ｒ光用の射出側偏光板２４Ｒへ積極的に冷却風を進行させることで、Ｒ光用の射出側偏光板２４Ｒをさらに十分冷却することが可能となる。
【符号の説明】
【００４７】
１０  プロジェクター、１１  光源部、１２  第１インテグレーターレンズ、１３  第２インテグレーターレンズ、１４  偏光変換素子、１５  重畳レンズ、１６  第１ダイクロイックミラー、１７  第２ダイクロイックミラー、１８、１９、２０  反射ミラー、２１Ｒ、２１Ｇ、２１Ｂ  フィールドレンズ、２２Ｒ、２２Ｇ、２２Ｂ  入射側偏光板、２３Ｒ、２３Ｇ、２３Ｂ  液晶表示パネル、２４Ｒ、２４Ｇ、２４Ｂ  射出側偏光板、２５  クロスダイクロイックプリズム、２６、２７  リレーレンズ、３０  投写レンズ、３１  ファン、３２  スクリーン、４０  側壁部、４１  ベース、４２  隔壁部、４３  仕切り部、４４  開口、Ｄ１  第１流路、Ｄ２  第２流路、Ｄ３  第３流路、ＤＡ  合流部、Ｓ１  入射面、Ｓ２  射出面、５０  構造体
【図１】
0005381466.tif 000002
【図２】
0005381466.tif 000003
【図３】
0005381466.tif 000004
【図４】
0005381466.tif 000005
【図５】
0005381466.tif 000006